(57)【要約】      （修正有）【課題】新生屋根材の隙間の塗料を効率よく安全に除去するスクレーパーを提供する。【解決手段】スクレーパー２は、へら４と、へらの下端から下方向に延びる柄６とを備えている。へらは、その上部に位置し略左右方向に延びる第一切刃と、へらの側部に位置する一対の第二切刃とを備えている。第二切刃は、正面視において、それぞれ内側に凸な形状を呈している。また、へらの前面３０と柄とのなす角度が、１８０°より小さい。【選択図】図１
0003186988.tif 000002
【実用新案登録請求の範囲】
【請求項１】
へらと、このへらの下端から下方向に延びる柄とを備えており、
上記へらが、その上部に位置し略左右方向に延在する第一切刃と、上記へらの側部に位置する一対の第二切刃とを備えているスクレーパー。
【請求項２】
上記第二切刃が、正面視において、それぞれ内側に凸な形状を呈している請求項１に記載のスクレーパー。
【請求項３】
上記へらの前面と上記柄とのなす角度が、１８０°より小さい請求項１又は２に記載のスクレーパー。
【考案の詳細な説明】
【技術分野】
【０００１】
本考案は、新生屋根材の間の塗料除去に用いられるスクレーパーに関する。
【背景技術】
【０００２】
近年、家屋の屋根には、瓦の代わりに、軽量で耐久性に優れたスレート等の新生屋根材が用いられることが増えている。この家屋では、屋根の上に多数の新生屋根材が上下左右に並べられている。これにより新生屋根材は、屋根全体を覆っている。
【０００３】
上下に隣接して配置された新生屋根材は、上側に配置された新生屋根材の裏側面の一部が、下側に配置された新生屋根材の表側面の一部に重ねられている。この重なり部分では、上側の新生屋根材と下側の新生屋根材の間に、隙間が設けられている。新生屋根材の横の合わせ目等から浸水した雨水は、この隙間から外に排出されるようになっている。
【０００４】
設置から一定期間以上経過した新生屋根材は、防水性や耐久性を保つために、塗装の塗り替えが行われる。この際、塗装材が上記新生屋根材の重なり部分の隙間に入り込み、この隙間を塞ぐことが起こりうる。隙間が塞がれると、雨水が排出されず、屋根の腐朽の原因となりうる。これを防ぐために、新生屋根材の塗装後に、新生屋根材の隙間に入った塗装材を除去する作業が行われる。この除去作業には、スクレーパーやカッター等が用いられている。作業者は、例えばスクレーパーの先端をこの隙間に挿入することで、隙間に残った塗装材を除去している。
【考案の概要】
【考案が解決しようとする課題】
【０００５】
塗料を除去するために、作業者は、スクレーパーを新生屋根の隙間に挿入し、これを抜き取ることが必要である。スクレーパーの幅は、新生屋根材の幅に比べて小さいため、一組の新生屋根材の隙間の塗料を除去するのに、何度もこの挿抜を繰り返すことになる。この作業は手間がかかる。この作業は時間がかかる。さらに、何度もスクレーパーの挿抜を繰り返すことで、せっかく塗った塗料を必要な部分まで取り除く危険性が生じる。本考案の目的は、新生屋根材の隙間の塗料を効率よく安全に除去するスクレーパーの提供にある。
【課題を解決するための手段】
【０００６】
本考案に係るスクレーパーは、へらと、このへらの下端から下方向に延びる柄とを備えている。上記へらは、その上部に位置し略左右方向に延在する第一切刃と、上記へらの側部に位置する一対の第二切刃とを備えている
【０００７】
好ましくは、上記第二切刃は、正面視において、それぞれ内側に凸な形状を呈している。
【０００８】
好ましくは、上記へらの前面と上記柄とのなす角度は、１８０°より小さい。
【考案の効果】
【０００９】
本考案に係るスクレーパーは、へらの上部に第一切刃を、へらの側部に一対の第二切刃を備えている。作業者がスクレーパーを新生屋根材の隙間に差し込むことで、第一切刃が塗料を除去する。作業者がそのままスクレーパーを左右に移動させることで、第二切刃が塗料を除去する。このスクレーパーでは、隙間の塗料を除去するのに、何度もスクレーパーを挿抜する必要はない。このスクレーパーによれば、効率よく隙間の塗料を除去することができる。また、挿抜を繰り返す必要がないので、このスクレーパーは、必要な塗料を除去する危険性も少ない。このスクレーパーは、新生屋根材の隙間の塗料を効率よく安全に除去することを可能とする。
【図面の簡単な説明】
【００１０】
【図１】図１は、本考案の一実施形態に係るスクレーパーが示された斜視図である。
【図２】図２は、図１のスクレーパーの一部が示された正面図である。
【図３】図３は、図２のIII−III線に沿った断面図である。
【図４】図４は、図２のIV−IV線に沿った断面図である。
【図５】図５は、図１のスクレーパーの使用の様子が示された斜視図である。
【図６】図６は、図１のスクレーパーの使用の様子が示された側面図である。
【考案を実施するための形態】
【００１１】
以下、適宜図面が参照されつつ、好ましい実施形態に基づいて本考案が詳細に説明される。
【００１２】
図１は、スクレーパー２の斜視図である。図１において、矢印Ｘで示されているのは、スクレーパー２の上方向であり、これと逆方向が下方向である。このスクレーパー２は、へら４及びこのへら４の下端１６から下方向に延びる柄６を備えている。
【００１３】
図２は、図１のスクレーパー２のへら４の部分を拡大した正面図である。図２において、矢印Ｘで示されているのは、スクレーパー２の上方向である。矢印Ｙで示されているのは、スクレーパー２の右方向であり、これと逆方向が左方向である。
【００１４】
へら４は、上部に第一切刃８を備えている。第一切刃８は、略左右方向に延在している。第一切刃８は、へら４の左端から右端まで延びている。正面視において、第一切刃８は外側に凸な丸みをおびた形状を呈している。図３は、図２のIII−III線に沿った断面図である。図で示されるように、へら４は、上側に向けて徐々に薄くなっている。第一切刃８は、その刃先に向けてさらに薄くなっている。
【００１５】
へら４は、その側部に一対の第二切刃１０を備えている。正面視において、それぞれの第二切刃１０は、内側に凸な形状を呈している。図４は、図２のIV−IV線に沿った断面図である。第二切刃１０は、その刃先に向けて薄くなっている。
【００１６】
典型的には、へら４の材質は、スチール又はステンレススチールである。へら４の材質が、アルミニウム合金でもよい。
【００１７】
図１に示されるように、柄６は主部１２と一対の把持部１４とを備えている。主部１２は、へら４の下端１６から下側に延びている。典型的には、主部１２の材質は、スチール又はステンレススチールである。主部１２の材質が、アルミニウム合金でもよい。このスクレーパー２では、へら４と主部１２とが一体として形成されている。
【００１８】
図１に示されるように、へら４の前面３０と主部１２とのなす角は１８０°より小さくなっている。換言すれば、このスクレーパー２は、へら４と主部１２との接続部２８において折れ曲がっている。
【００１９】
一対の把持部１４は、主部１２の下側に位置する。一対の把持部１４は、主部１２を前面及び背面から挟んでいる。把持部１４は、主部１２の下側において、主部１２の前面及び背面を覆っている。それぞれの把持部１４には、その前面から背面に貫通する孔１８が二個設けられている。図示されないが、把持部１４に挟まれた主部１２の対応する位置にも孔が二個設けられている。主部１２が把持部１４に挟まれた後、ボルト３２が前面側の把持部１４の孔１８から通される。このボルト３２は、主部１２の孔及び背面側の把持部１４の孔にも通される。このボルト３２によって、主部１２と一対の把持部１４は堅固に固定されている。
【００２０】
把持部１４の下側には、さらに表面から背面に貫通する取付孔２０が設けられている。主部１２の対応する位置にも取付孔２０が設けられている。把持部１４が主部１２を挟んだ状態では、取付孔２０は、この前面側の把持部１４の表面から背面側の把持部１４の背面まで貫通している。
【００２１】
把持部１４の典型的な材質は、木である。把持部１４の材質が硬質合成樹脂であってもよい。
【００２２】
図５は、図１のスクレーパー２の使用状態が示された説明図である。まず、作業者２６が、スクレーパー２のへら４を新生屋根材２２の隙間２４に差し込む。これにより、差し込んだ部分の塗装が除去される。次に、作業者２６は、このスクレーパー２を左右にスライドさせる。これにより、この隙間２４全体に渡って、残存した塗装が除去される。塗料を除去した後、このスクレーパー２は、隙間２４から引き抜かれる。
【００２３】
このスクレーパー２は、へら４の上部に第一切刃８を備えている。へら４及び第一切刃８は、先端ほど薄くなっている。このへら４を新生屋根材２２の隙間２４に差し込むことは容易である。さらに、この第一切刃８は、正面視において外側に凸な丸みをおびた形状を呈している。これにより、切刃の上端が直線の形状を呈している従来のスクレーパーに比べて、さらに容易にへら４を隙間２４に挿入することができる。また、この丸みをおびた形状をした第一切刃８は、その左右端に角を有さない。このスクレーパー２は、従来のスクレーパーのように、切刃の角が新生屋根材２２に引っかかることもないので、新生屋根材２２を傷つけるおそれもない。このスクレーパー２は、新生屋根材２２の隙間２４の塗料を効率よく安全に除去することを可能とする。
【００２４】
このスクレーパー２は、へら４の側部に一対の第二切刃１０を備えている。作業者２６が差し込んだスクレーパー２をそのまま左右に移動させることで、第二切刃１０が塗料を除去する。このスクレーパー２では、隙間２４の塗料を除去するのに、何度もスクレーパー２を挿抜する必要はない。このスクレーパー２によれば、効率よく隙間２４の塗料を除去することができる。挿抜を繰り返す必要がないので、このスクレーパー２は、必要な塗料を除去する危険性も少ない。
【００２５】
また、第二切刃１０は、正面視において、内側に凸な形状を呈している。これにより、スクレーパー２を左右に移動させて塗料を除去した後に、作業者２６は、この塗料を外に掻き出すことができる。このスクレーパー２によれば、塗料の屑が隙間２４に残留することが防止できる。このスクレーパー２は、塗料の屑が隙間２４を塞ぐことを防止する。
【００２６】
塗料を除去する際に、新生屋根材２２の隙間２４が狭くなっていることがある。作業者２６は、このスクレーパー２を使用して、隙間２４を広げることができる。図６にこの様子を示す。図６で符号αは、へら４の前面３０と主部１２とのなす角である。このスクレーパー２では、角αは１８０°より小さくなっている。このため、このスクレーパー２は、へら４と主部１２との接続部２８を支点とした梃子を構成している。作業者２６は、へら４を差し込んだ状態で、把持部１４を図６の矢印Ａの方向に押し下げることで、へら４が、その前面３０の上にある新生屋根材２２を押し上げる。これにより、新生屋根材２２の間の隙間２４を広げることができる。狭くなった隙間２４を広げることで、雨水が隙間２４に滞留することが防止されうる。このスクレーパー２は、雨水の滞留による屋根の腐朽を防止する。
【００２７】
角αは、１１０°以上が好ましい。角αが１００°以上のスクレーパー２を新生屋根材２２の隙間２４に差し込むのは容易である。このスクレーパーは使い勝手がよい。この観点から角αは１１０°以上がより好ましい。角αは１６０°以下が好ましい。この角αが１６０°以下のスクレーパー２を用いれば、新生屋根材２２の間隔が容易に広げられうる。この観点から角αは、１５０°以下がより好ましい。
【００２８】
以上説明されたように、本考案に係るスクレーパー２は、新生屋根材２２の隙間２４の塗料を、効率よく安全に除去することを可能とする。また、本スクレーパー２は、塗料の屑を外に容易に排出しうる。本スクレーパー２によれば、新生屋根材２２の隙間２４を広げることが可能である。以上より本考案の優位性は明らかである。
【００２９】
本スクレーパー２は、新生屋根材２２の隙間２４に残った塗料の除去用として説明された。しかし、他の用途でも隙間２４に残存した不要物を取り除く場合には、本スクレーパー２は有効に利用されうる。
【産業上の利用可能性】
【００３０】
本考案に係るスクレーパー２は、例えば新生屋根材２２の隙間２４の塗料を除去するために用いられうる。
【符号の説明】
【００３１】
２・・・スクレーパー
４・・・へら
６・・・柄
８・・・第一切刃
１０・・・第二切刃
１２・・・主部
１４・・・把持部
１６・・・下端
１８・・・孔
２０・・・取付孔
２２・・・新生屋根材
２４・・・隙間
２６・・・作業者
２８・・・接続部
３０・・・前面
３２・・・ボルト
【図１】
0003186988.tif 000003
【図２】
0003186988.tif 000004
【図３】
0003186988.tif 000005
【図４】
0003186988.tif 000006
【図５】
0003186988.tif 000007
【図６】
0003186988.tif 000008